(57)【要約】【課題】  餌の供給環境と生息環境を整え、ブロック１個当たりに棲み付くアワビの個体数を増加させると同時に、潜水士による収穫作業効率を向上させることを可能にするブロックを提供する。【解決手段】  ブロック本体表面にアワビが餌とする海藻類の胞子や幼体等を着生させた、もしくは、着生しやすい基質を備え、ブロック本体内部にアワビが付着する複数の板状部を備え、ブロック本体側面下部にアワビ収穫用の開口部を備え、ブロック本体底部に海底に設置した際、安定を保持する脚を備える。    【選択図】  図１
2005027583.tif 000002
【特許請求の範囲】
【請求項１】
ブロック本体表面には、アワビが餌とする海藻類の自然着生が期待され、魚介類の蝟集、生息効果を促進する形状を備え、同時に、海藻類のアワビが餌とする海藻類の胞子や幼体等を着生させた、もしくは、着生しやすい基質を備え、ブロック本体内部には、抜き差しが容易にできる複数の板状部を備え、ブロック本体側面下部には、アワビ収穫用の下部開口部を設け、ブロック本体底部には海底に設置した際、安定を保持する脚を備えることを特徴とするアワビ育成用ブロック。
【発明の詳細な説明】
【技術分野】
【０００１】
本発明は、アワビ、ウニ、魚介類等の増殖養殖に好適な環境を提供するためのブロックに関するものである。
【背景技術】
【０００２】
アワビ、ウニ、魚介類等の増殖養殖は、アワビ礁等を沈設、もしくは、自然石を投入することで形成される隙間にアワビ等を棲みつかせて行っている。また、アワビの習性を応用した人工漁礁がある。
【０００３】
また、アワビ、ウニ、魚介類等の生息環境を悪化させる雑藻類、石灰藻類、付着生物類等の除去や、水中での海女、海士による採集作業効率については、全く考慮されていなかった。
【特許文献１】特開２００１−２９２６５３号公報
【発明の開示】
【発明が解決しようとする課題】
【０００４】
解決しようとする問題点は、アワビの餌となる海藻類の供給を自然にたよっているし、収穫作業にかかる作業時間も効率的でない点である。本発明は、餌供給環境と生息環境を整え、ブロック１個当たりに棲み付くアワビの個体数を増加させると同時に、送気式潜水方法や素潜り方式を用いた海女、海士による収穫作業効率を向上させることを可能にするブロックの提供を目的とする。
【課題を解決するための手段】
【０００５】
ブロック本体表面には、アワビが餌とする海藻類の自然着生が期待され、魚介類の蝟集、生息効果を促進する形状を備え、同時に、アワビが餌とする海藻類の胞子や幼体等を着生させた、もしくは、着生しやすい基質を備え、ブロック本体内部には、抜き差しが容易にできるアワビが付着する複数の板状部を備え、ブロック本体側面下部には、アワビ収穫用の下部開口部を備え、ブロック本体底部には、海底に設置した際、安定を保持する脚を備える。
【発明の効果】
【０００６】
本発明のアワビ育成ブロックは、ブロック本体表面には、アワビが餌とする海藻類の自然着生が期待され、魚介類の蝟集、生息効果を促進する形状を備え、同時に、アワビが餌とする海藻類の胞子や幼体等を着生させた、もしくは、着生しやすい質基質を備えているため、アワビ類の餌となる海藻類を積極的に供給し、アワビの成長を飛躍的に促進できるし、基質の形状と基質上で成長する海藻類の相乗効果により、漁場の基盤構成に必要不可欠なプランクトンの蝟集、魚介類の産卵場、魚介類の稚魚や稚貝に隠れ家を提供することにより、漁場整備も可能にする。
【０００７】
また、ブロック本体内部に備える複数の板状部の隙間は、日中でも暗く、アワビの暗所を好む習性に適応しており、アワビに好適な住処を提供し棲み付かせることができ、アワビ育成ブロック１個当たりに棲み付くアワビの個体数を飛躍的に増加させることを可能にする。さらに、生息するアワビの単位面積当たりの個体数が多い事により、稚貝の増殖率を自然の状態と比較して、飛躍的に高めることを可能にする。
【０００８】
また、この板状部は、抜き差しが容易にできるので、アワビを収穫する際やアワビの生息環境を悪化させ収穫量の低下を招く原因になる付着物等を除去する際にも抜いて作業できるので、作業時間の短縮化による作業効率の向上と、収穫量の低下の防止を同時に可能にする。
【０００９】
また、ブロック本体側面下部には、アワビ収穫用の下部開口部を備えているため、アワビの収穫時には、送気式潜水方法や素潜り方式を用いた海女、海士が潜水し、最初にこの下部開口部に収穫専用篭をさしいれ、その後、上面の板の隙間からハンドスクレッパー等を使用して板に付着していているアワビをはぎ落とすことで、下部開口部にさしいれてある収穫専用篭に入るので、一度の作業における収穫量も確保でき、潜水時間も短縮できるし、海女、海士の潜水障害リスクをも軽減できるので、効率的で安全な収穫作業を可能にする。
【００１０】
また、この下部開口部は、周辺海域から流失した流れ藻が留まりやすいので、自然状態と比較して餌の供給環境を良くすることができるし、ブロック内部と外部の海水が常時循環するのでアワビの生息に好適な酸素濃度が維持できると同時に、ブロック上部より流入する砂等の堆積物も自然に排出できるので生息環境を良好に保つことができる。
【００１１】
また、ブロック本体底部には、海底に設置した際、安定を保持する脚を備えているため
設置する海底面に起伏がある場合や、砂等である場合でも安定性を確保できると同時に、ブロックと海底面に隙間が生まれ、この隙間にもアワビ等を棲み付かせることができる。
【発明を実施するための最良の形態】
【００１２】
以下、本発明の構成を図面に示す最良の形態に基づいて詳細に説明する。
【実施例】
【００１３】
図１に本発明を適用したアワビ育成ブロックの実施形態の一例を示す。このアワビ育成ブロック１は、コンクリート製の正方形または矩形等の四角形上の壁を周囲５面に有する中空の立方体からなり、この立方体の内部にコンクリート製のアワビが付着する複数の板状部２を備え、外部壁面にアワビが餌とする海藻類の胞子や幼体等を着生させた、もしくは着生しやすい複数の基質３備え、外部壁面下部には、側面から側面を貫通するアワビ収穫及び海水循環用の下部開口部４を備え、底部には、海底面に設置した際、安定を保持する脚５を備える。
【００１４】
アワビ育成ブロック１は、例えばコンクリートで成形されており、波浪等の影響で転倒しない自重を有している。また、その材質は、コンクリートに限らず、形状を維持できる材質であれば金属等いかなる材質を用いても良いし、その形状は、図１に示す形状に限るものでなく、例えば、六角柱や円柱状等であっても良い。また、サイズは、設置する海域の条件に好ましいものとする。
【００１５】
また、ブロック１の外壁表面の形状は、海藻類が自然着生し、魚介類が蝟集、生息しやすい形状であれば、平坦な面に限らず、山形、波形等であってもさしつかえない。
【００１６】
板状部２は、例えばコンクリートで成形されており、図２に示す形状が好ましい。また、材質は、コンクリートに限らず、形状を維持できる材質であれば金属等いかなる材質を用いてもよいし、その形状は、図２に示す形状に限るものでなく、ブロック内部に備えることができれば、山形、波形等であっても良い。
【００１７】
また、この板状部２は、アワビ育成ブロック１から、抜いたりさしたりが容易にできる
形状を有しており、アワビの収穫時や付着物の除去作業時には、一部ないしは全部抜いて
作業することが可能であるし、新しいものと交換しても良い。
【００１８】
基質３は、アワビ育成ブロック１を海中に設置する際にあらかじめ海藻類の胞子や幼体を取り付けた状態で、アワビ育成ブロック１に図１で示すように取り付けることが好ましいが、海藻類の胞子や幼体を取り付けない状態で、アワビ育成ブロック１に図１で示すように取り付け一度海中に設置した後、あらためて、海藻類の胞子や幼体を潜水士が取り付けても良い。
【００１９】
また、基質３には、自然界で放出される海藻類の胞子が着生しやすい特性があるので、基質３に海藻類の胞子や幼体を取り付けない状態でアワビ育成ブロック１に取り付け、海中に設置し自然に海藻類が着生するのを期待しても良い。
【００２０】
基質３の材質は、例えばコンクリートを主とする多孔質基質等が好ましいが、プラスチック類や樹脂類等を用いても良く、アワビ育成ブロック１に取り付けが可能であれば、形状は板状に限るものでないし、サイズの制約を設けない。また、数や位置についても制約を設けない。
【００２１】
下部開口部４の形状やサイズは、アワビ収穫篭等の出し入れができ、アワビ育成ブロック１の内部、外部の海水循環の妨げにならないものが好ましいし、数は複数でもさしつかえない。  
【００２２】
ブロック本体底部には、立方体の脚５を４本備えているが、アワビ育成ブロックを海底に設置した際、安定させることができる最適な数を備えていることが好ましい。また、形状やサイズは、設置する海底の条件により、安定させるに最適な形状、サイズであれば制約を設けない。
【図面の簡単な説明】
【００２３】
【図１】本発明を適用したアワビ育成ブロックの実施形態を示す斜視図である。
【図２】同ブロック本体内部にアワビが着生する複数の板状部を示す拡大図である。
【符号の説明】
【００２４】
１  アワビ育成ブロック
２  コンクリート板    
３  基質
４  下部開口部
５  脚
【図１】
2005027583.tif 000003
【図２】
2005027583.tif 000004